(57)【特許請求の範囲】
【請求項１】
点滴筒の上流側に上流側導管を介してびん針を接続するとともに、点滴筒の下流側に下流側導管を接続した輸液セットにおいて、
上流側端部から下流側端部の内部を生理食塩水で充填した状態で上流側端部となるびん針及び静脈針を取付ける下流側端部となるタコ管の先端部を保護キャップで封止するとともに、点滴筒を可撓性を有する素材で減容可能に形成し、生理食塩水を陽圧状態で充填し、点滴筒を減容することで点滴筒に充填された生理食塩水をタコ管の先端部に取付けた静脈針から外部へ排出できるように構成したことを特徴とする輸液セット。
【発明の詳細な説明】
【技術分野】
【０００１】
本発明は、点滴筒の上流側に上流側導管を介してびん針を接続するとともに、点滴筒の下流側に下流側導管を接続した輸液セットに関するものである。
【背景技術】
【０００２】
従来より、点滴や輸血などの輸液時には、点滴筒の上流側に上流側導管を介してびん針を接続するとともに、点滴筒の下流側に下流側導管を接続した輸液セットが広く利用されている（たとえば、特許文献１参照。）。
【０００３】
この輸液セットは、上流側及び下流側導管や点滴筒の内部が空洞となっており、使用前の状態では内部に空気が充満した状態となっている。
【０００４】
そして、輸液時には、看護師がびん針を薬液や血液が入った輸液容器に刺通させて薬液等を輸液セットの内部に導入し、その後、点滴筒の上流側の約半部だけに空気が入り、それ以外の部分全てを薬液等で充填した状態になるように輸液セットの内部の空気を薬液等で置換するようにしていた。
【０００５】
【特許文献１】特開２０００−４２１０４号公報
【発明の開示】
【発明が解決しようとする課題】
【０００６】
上記従来の輸液セットでは、未使用時に空気が充満している上流側及び下流側導管や点滴筒の内部を、点滴筒の上流側の約半部だけに空気が入り、それ以外の部分全てを薬液等で充填した状態になるように薬液等で置換するといった煩雑な作業が必要であるために、輸液時の準備作業に多大な労力や時間を要するとともに、熟練者でなければ良好に準備作業を行うことが困難であった。
【０００７】
また、上記従来の輸液セットでは、未使用時に上流側及び下流側導管や点滴筒の内部に雑菌が侵入してしまうおそれがあり、衛生面でも問題があった。
【課題を解決するための手段】
【０００８】
そこで、請求項１に係る本発明では、点滴筒の上流側に上流側導管を介してびん針を接続するとともに、点滴筒の下流側に下流側導管を接続した輸液セットにおいて、上流側端部から下流側端部の内部を生理食塩水で充填した状態で上流側端部となるびん針及び静脈針を取付ける下流側端部となるタコ管の先端部を保護キャップで封止するとともに、点滴筒を可撓性を有する素材で減容可能に形成し、生理食塩水を陽圧状態で充填し、点滴筒を減容することで点滴筒に充填された生理食塩水をタコ管の先端部に取付けた静脈針から外部へ排出できるように構成することにした。
【発明の効果】
【００１１】
そして、本発明では、以下に記載する効果を奏する。
【００１２】
すなわち、本発明では、点滴筒の上流側に上流側導管を介してびん針を接続するとともに、点滴筒の下流側に下流側導管を接続した輸液セットにおいて、内部を生理食塩水で充填した状態で上流側端部及び下流側端部を保護キャップで封止するとともに、点滴筒を減容可能に形成し、点滴筒を減容することで点滴筒に充填された生理食塩水を外部へ排出できるように構成しているために、輸液時に点滴筒を減容して内部の生理食塩水を排出するだけで輸液時の準備作業を行うことができ、準備作業に要する労力や時間を削減することができるとともに、熟練者でなくても容易に準備作業を行うことができる。
【００１３】
しかも、未使用時に内部が生理食塩水で充填されているために、上流側及び下流側導管や点滴筒の内部に雑菌が侵入してしまうのを防止することができ、衛生状態を良好に保持することができる。
【００１４】
特に、生理食塩水を陽圧状態で充填した場合には、端部の隙間から上流側導管や下流側導管などの内部に雑菌が侵入するのを内部圧力によって阻止することができ、衛生状態をより一層良好に保持することができる。
【００１５】
また、下流側端部の保護キャップを外して静脈針を取付けるとともに、上流側端部の保護キャップを外して薬液や血液などが入った輸液容器にびん針を刺通させ、その後、輸液容器の内部の空気をびん針側に寄せた状態で点滴筒を減容させた場合には、点滴筒の内部の生理食塩水を静脈針から外部に排出させるとともに、輸液容器から空気を点滴筒の内部に送入させることができるので、輸液セットを用いた輸液の準備作業をより一層円滑に行うことができる。
【発明を実施するための最良の形態】
【００１６】
以下に、本発明に係る輸液セットの具体的な構成について図面を参照しながら説明する。
【００１７】
図１に示すように、輸液セット１は、中空円筒状の点滴筒２の上端部に可撓性を有する上流側導管３の基端部を接続し、上流側導管３の先端部にびん針４を接続し、びん針４を保護キャップ５で封止している。
【００１８】
また、輸液セット１は、点滴筒２の下端部に可撓性を有する下流側導管６の基端部を接続し、下流側導管６の中途部にクランプ（流量調節器）７を取付けるとともに、下流側導管６の先端部に可撓性を有する継ぎ管８の基端部を接続し、継ぎ管８の先端部にタコ管９の基端部を接続し、タコ管９の先端部を保護キャップ10で封止している。
【００１９】
この輸液セット１は、点滴筒２を可撓性を有する素材で形成しており、中空円筒状の胴部分を指で摘んで押圧することによって点滴筒２を変形し内部の容積を減少させる（減容させる）ことができるようになっている。
【００２０】
また、輸液セット１は、上流側先端部となるびん針４を保護キャップ５で封止するとともに、下流側先端部となるタコ管９の先端部を保護キャップ10で封止しており、上流側先端部から下流側先端部の内部（びん針４、上流側導管３、点滴筒２、下流側導管６、継ぎ管８、タコ管９の内部）に生理食塩水11を充填している。
【００２１】
そして、上記輸液セット１の使用者は、図２に示すように、タコ管９に装着した保護キャップ10を外してタコ管９の先端部に静脈針13を取付けるとともに、びん針４に装着した保護キャップ５を外してびん針４を薬液や血液などが入った輸液容器12に刺通させて薬液等を輸液セット１の内部に導入し、その後、点滴筒２を指で摘んで減容させることによって、輸液セット１（点滴筒２）の内部の生理食塩水11を静脈針13から外部に排出する。これにより、上記輸液セット１を用いた輸液の準備作業を終えることができ、点滴筒２の上流側の約半部だけに空気が入り、それ以外の部分全てを薬液等で充填した状態になるように輸液セット１の内部を薬液等で置換することができる。
【００２２】
このときに、輸液容器12の内部の空気をびん針４側に寄せた状態で点滴筒２を減容させることにより、点滴筒２の内部の生理食塩水11を静脈針13から外部に排出させることができるとともに、輸液容器12から空気を点滴筒２の内部に送入させることができ、輸液セット１を用いた輸液の準備作業を円滑に行うことができる。この場合、輸液容器12の内部の空気を輸液セット１の内部に送入しているために、雑菌などが浮遊するおそれがある外部の空気が輸液セット１の内部に侵入することがないので、輸液セット１の衛生状態を良好に保持することもできる。
【００２３】
このように、上記輸液セット１では、内部を生理食塩水11で充填した状態で上流側端部及び下流側端部を保護キャップ5,10で封止するとともに、点滴筒２を減容可能に形成し、点滴筒２を減容することで点滴筒２に充填された生理食塩水11を外部へ排出できるように構成している。
【００２４】
そのため、上記輸液セット１では、輸液時に点滴筒２を減容して内部の生理食塩水11を排出するだけで輸液時の準備作業を行うことができ、準備作業に要する労力や時間を削減することができるとともに、熟練者でなくても容易に準備作業を行うことができる。
【００２５】
しかも、上記輸液セット１では、未使用時に内部が生理食塩水11で充填されているために、上流側導管３及び下流側導管６や点滴筒２の内部に雑菌が侵入してしまうのを防止することができ、衛生状態を良好に保持することができる。
【００２６】
特に、上記輸液セット１では、上流側先端部から下流側先端部の内部に陽圧（加圧）状態で生理食塩水11を充填している。
【００２７】
そのため、上記輸液セット１では、びん針４と保護キャップ５との隙間やタコ管９と保護キャップ10との隙間などの端部の隙間に内部側から外部側へ向けて圧力が掛かった状態となっており、端部の隙間から上流側導管３や下流側導管６などの内部に雑菌が侵入するのを内部圧力によって阻止することができ、衛生状態をより一層良好に保持することができる。
【００２８】
なお、本発明に係る輸液セット１は、点滴筒２の上流側に上流側導管３を介してびん針４を接続するとともに、点滴筒２の下流側に下流側導管６を接続した構成となっていればよく、継ぎ管８やタコ管９が装着されたものに限定されるものではない。
【図面の簡単な説明】
【００２９】
【図１】本発明に係る輸液セットを示す斜視図。
【図２】同使用状態を示す斜視図。
【符号の説明】
【００３０】
１  輸液セット
２  点滴筒
３  上流側導管
４  びん針
５  保護キャップ
６  下流側導管
７  クランプ
８  継ぎ管
９  タコ管
10  保護キャップ
11  生理食塩水
12  輸液容器
13  静脈針
【図１】
0004395566.tif 000002
【図２】
0004395566.tif 000003